【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
骨セメント送達システムであって、
出口ポートを有するセメントリザーバ内に移動可能に配置されたプランジャーであって、骨セメントを前記セメントリザーバから前記出口ポートを通して選択的に排出させるように構成されている、プランジャーと、
前記セメントリザーバの前記出口ポートに連結された延長チューブであって、前記システムのオペレータが放射線被爆を回避することを可能にするのに十分な長さを有する、延長チューブと、
分流器入口、第１の分流器出口、及び第２の分流器出口を備える分流器であって、前記分流器入口は、前記延長チューブに連結され、前記延長チューブの下流に位置する、分流器と、
前記骨セメントを目標部位に導くための送達カニューレに接続されるように構成されたカニューレ連結器であって、カニューレ連結器入口を有し、前記分流器の下流に位置する、カニューレ連結器と、
残留骨セメントを受け入れるためのドルール容積部を画定するドルールアキュムレータであって、ドルール入口を有し、前記分流器の下流に位置する、ドルールアキュムレータと、
を備え、
前記第１の分流器出口は、前記カニューレ連結器入口に連結され、前記第２の分流器出口は、前記ドルール入口に連結されており、
前記分流器は、
前記セメントリザーバと前記ドルール容積部との間に流体連通が確立され、前記セメントリザーバと前記カニューレ連結器との間の流体連通が遮断される第１の形態と、
前記セメントリザーバと前記カニューレ連結器との間に流体連通が確立され、前記セメントリザーバと前記ドルール容積部との間の流体連通が遮断される第２の形態と
の間で選択的に移動するように構成された弁を備え、
前記システムは、前記弁を前記形態間で作動させるように操作可能に構成された制御面を備えるユーザー入力機構を更に備えている、
骨セメント送達システム。
【請求項２】
前記弁は、前記形態間で回転するロータ弁である、請求項１に記載の骨セメント送達システム。
【請求項３】
前記制御面は、前記延長チューブの上流に配置されたトリガーから構成されている、請求項１又は２に記載の骨セメント送達システム。
【請求項４】
前記トリガーは、前記トリガーと前記弁との間に配置された導管内において摺動可能なワイヤを備えるリンケージによって、前記弁に操作可能に連結されている、請求項３に記載の骨セメント送達システム。
【請求項５】
前記弁は、前記カニューレ連結器と前記ドルール容積部との間に流体連通が確立され、前記セメントリザーバと前記カニューレ連結器との間及び前記セメントリザーバと前記ドルール容積部との間のそれぞれの流体連通が遮断され、これによって、前記骨セメントが前記ドルールアキュムレータの前記ドルール容積部から前記カニューレ連結器に移動され、前記目標部位への送達が可能になる、他の形態に選択的に移動するように構成されている、先行する請求項のいずれかに記載の骨セメント送達システム。
【請求項６】
前記ドルールアキュムレータは、視覚的指標を有する容器である、先行する請求項のいずれかに記載の骨セメント送達システム。
【請求項７】
前記ドルールアキュムレータは、前記分流器の前記第２の分流器出口に離脱可能に連結されている、先行する請求項のいずれかに記載の骨セメント送達システム。
【請求項８】
前記延長チューブの上流に配置されたハンドルを更に備えている、先行する請求項のいずれかに記載の骨セメント送達システム。
【請求項９】
前記プランジャーに操作可能に連結されたノブであって、前記ノブの回転が前記セメントリザーバ内の前記プランジャーの移動に対応するようになっている、ノブを更に備えている、先行する請求項のいずれかに記載の骨セメント送達システム。
【請求項１０】
骨セメント送達システムであって、
出口ポートを有するセメントリザーバ内に移動可能に配置されたプランジャーであって、骨セメントを前記セメントリザーバから前記出口ポートを通して選択的に排出させるように構成されている、プランジャーと、
前記セメントリザーバの前記出口ポートに連結された延長チューブであって、前記システムのオペレータが放射線被爆を回避することを可能にするのに十分な長さを有する、延長チューブと、
分流器入口、第１の分流器出口、及び第２の分流器出口を備える分流器であって、前記分流器入口は、前記延長チューブに連結され、前記延長チューブの下流に位置する、分流器と、
前記骨セメントを目標部位に導くための送達カニューレに接続されるように構成されたカニューレ連結器であって、カニューレ連結器入口を有し、前記分流器の下流に位置する、カニューレ連結器と、
残留骨セメントを受け入れるためのドルール容積部を画定するドルールアキュムレータであって、ドルール入口を有し、前記分流器の下流に位置する、ドルールアキュムレータと、
を備え、
前記第１の分流器出口は、前記カニューレ連結器入口に連結され、前記第２の分流器出口は、前記ドルール入口に連結されており、
前記分流器は、
前記カニューレ連結器と前記ドルール容積部との間に流体連通が確立され、前記セメントリザーバと前記カニューレ連結器との間及び前記セメントリザーバと前記ドルール容積部との間のそれぞれの流体連通が遮断される、第１の形態と、
前記セメントリザーバと前記カニューレ連結器との間に流体連通が確立され、前記セメントリザーバと前記ドルール容積部との間の流体連通が遮断される、第２の形態と
の間で選択的に移動するように構成された弁を備え、
前記システムは、前記弁を前記形態間で作動させるように操作可能に構成された制御面を備えるユーザー入力機構を更に備えている、
骨セメント送達システム。
【請求項１１】
前記弁は、前記形態間で回転するロータ弁である、請求項１０に記載の骨セメント送達システム。
【請求項１２】
前記制御面は、前記延長チューブの上流に配置されたトリガーから構成されている、請求項１０又は１１に記載の骨セメント送達システム
【請求項１３】
前記トリガーは、前記トリガーと前記弁との間に配置された導管内において摺動可能なワイヤを備えるリンケージによって、前記弁に操作可能に連結されている、請求項１２に記載の骨セメント送達システム。
【請求項１４】
前記ドルールアキュムレータは、アクチュエータを備え、前記アクチュエータは、骨セメントを前記ドルールアキュムレータから前記分流器に向かって移動させ、次いで、前記送達カニューレ内に通すように、ユーザーによって作動されるように構成されている、請求項１０〜１３のいずれかに記載の骨セメント送達システム。
【請求項１５】
前記ドルールアキュムレータは、視覚的指標を有する容器である、請求項１０〜１４のいずれかに記載の骨セメント送達システム。
【請求項１６】
前記ドルールアキュムレータは、前記分流器の前記第２の分流器出口に離脱可能に連結されている、請求項１０〜１５のいずれかに記載の骨セメント送達システム。
【請求項１７】
前記延長チューブの上流に配置されたハンドルを更に備えている、請求項１０〜１６のいずれかに記載の骨セメント送達システム。
【請求項１８】
前記プランジャーに操作可能に連結されたノブであって、前記ノブの回転が前記セメントリザーバ内の前記プランジャーの移動に対応するようになっている、ノブを更に備えている、請求項１０〜１７のいずれかに記載の骨セメント送達システム。
【請求項１９】
骨セメント送達システムであって、
出口ポートを有するセメントリザーバ内に移動可能に配置されたプランジャーであって、骨セメントを前記セメントリザーバから前記出口ポートを通して選択的に排出させるように構成されている、プランジャーと、
骨セメントを排出するように前記プランジャーを作動させる流体圧システムであって、前記システムのオペレータが放射線被爆を回避するのに十分な長さを有する、流体圧システムと、
分流器入口、第１の分流器出口、及び第２の分流器出口を備える分流器であって、前記分流器入口は、前記流体圧システムに連結され、前記流体圧システムの下流に位置する、分流器と、
前記骨セメントを目標部位に導くための送達カニューレに接続されるように構成されたカニューレ連結器であって、カニューレ連結器入口を有し、前記分流器の下流に位置する、カニューレ連結器と、
残留骨セメントを受け入れるためのドルール容積部を画定するドルールアキュムレータであって、ドルール入口を有し、前記分流器の下流に位置する、ドルールアキュムレータと、
を備え、
前記第１の分流器出口は、前記カニューレ連結器入口に連結され、前記第２の分流器出口は、前記ドルール入口に連結されており、
前記分流器は、
前記セメントリザーバと前記ドルール容積部との間に流体連通が確立され、前記セメントリザーバと前記カニューレ連結器との間の流体連通が遮断される、第１の形態と、
前記セメントリザーバと前記カニューレ連結器との間に流体連通が確立され、前記セメントリザーバと前記ドルール容積部との間の流体連通が遮断される、第２の形態と
の間で選択的に移動するように構成された弁を備え、
前記システムは、前記弁を前記形態間で作動させるように操作可能に構成された制御面を備えるユーザー入力機構を更に備えている、
骨セメント送達システム。
【請求項２０】
骨セメント送達システムであって、
出口ポートを有するセメントリザーバ内に移動可能に配置されたプランジャーであって、骨セメントを前記セメントリザーバから前記出口ポートを通して選択的に排出させるように構成されている、プランジャーと、
骨セメントを排出するように前記プランジャーを作動させる流体圧システムであって、前記システムのオペレータが放射線被爆を回避するのに十分な長さを有する、流体圧システムと、
分流器入口、第１の分流器出口、及び第２の分流器出口を備える分流器であって、前記分流器入口は、前記流体圧システムに連結され、前記流体圧システムの下流に位置する、分流器と、
前記骨セメントを目標部位に導くための送達カニューレに接続されるように構成されたカニューレ連結器であって、カニューレ連結器入口を有し、前記分流器の下流に位置する、カニューレ連結器と、
残留骨セメントを受け入れるためのドルール容積部を画定するドルールアキュムレータであって、ドルール入口を有し、前記分流器の下流に位置する、ドルールアキュムレータと、
を備え、
前記第１の分流器出口は、前記カニューレ連結器入口に連結され、前記第２の分流器出口は、前記ドルール入口に連結されており、
前記分流器は、
前記カニューレ連結器と前記ドルール容積部との間に流体連通が確立され、前記セメントリザーバと前記カニューレ連結器との間及び前記セメントリザーバと前記ドルール容積部との間のそれぞれの流体連通が遮断される第１の形態と、
前記セメントリザーバと前記カニューレ連結器との間に流体連通が確立され、前記セメントリザーバと前記ドルール容積部との間の流体連通が遮断される第２の形態と
の間で選択的に移動するように構成された弁を備え、
前記システムは、前記弁を前記形態間で作動させるように操作可能に構成された制御面を備えるユーザー入力機構を更に備えている、
骨セメント送達システム。